(57)【特許請求の範囲】
【請求項１】
基体と、該基体に揺動可能に軸支された開閉部材とを備え、該基体には紫外線を照射可能な紫外線光源が設けられ、該開閉部材には閉鎖時又は開放時に該紫外線光源が照射した該紫外線を反射する反射部が設けられていることを特徴とする開閉装置。
【請求項２】
基体と、該基体に揺動可能に軸支された開閉部材とを備え、該基体には紫外線を照射可能な紫外線光源が設けられ、該開閉部材には閉鎖時に該紫外線光源が照射した該紫外線を屈折させる屈折部が設けられていることを特徴とする開閉装置。
【請求項３】
前記基体は鉢面をもつ便器本体に設けられるヒンジ部であり、前記開閉部材は便座又は便蓋である請求項１記載の開閉装置。
【請求項４】
前記鉢面、前記便座及び前記便蓋の少なくとも一つには、光触媒が設けられている請求項３記載の開閉装置。
【発明の詳細な説明】
【技術分野】
【０００１】
本発明は開閉装置に関する。
【背景技術】
【０００２】
特許文献１に従来の開閉装置が開示されている。この開閉装置は、基体と、基体に揺動可能に軸支された開閉部材とを備えている。より具体的には、基体は鉢面をもつ洋風便器本体に設けられるヒンジ部であり、開閉部材はヒンジ部に揺動可能に軸支された便座又は便蓋である。便蓋の裏面には紫外線を照射可能な紫外線光源が設けられている。
【０００３】
このような構成である従来の開閉装置では、便蓋の閉鎖時において、紫外線光源から照射される紫外線が洋風便器本体の鉢面に当たる。このため、洋風便器本体の鉢面が紫外線によって殺菌される。
【０００４】
【特許文献１】特開平９−１３５７９１号公報
【発明の開示】
【発明が解決しようとする課題】
【０００５】
しかし、上記従来の開閉装置では、開閉部材としての便蓋の開放時、紫外線光源による紫外線の照射方向がほぼ水平となり、紫外線の照射による殺菌作用を利用することができていなかった。
【０００６】
本発明は、上記従来の実情に鑑みてなされたものであって、開閉部材の閉鎖時及び開放時の両方において、紫外線の照射による殺菌作用を利用可能な開閉装置を提供することを解決すべき課題としている。
【課題を解決するための手段】
【０００７】
第１発明の開閉装置は、基体と、該基体に揺動可能に軸支された開閉部材とを備え、該基体には紫外線を照射可能な紫外線光源が設けられ、該開閉部材には閉鎖時又は開放時に該紫外線光源が照射した該紫外線を反射する反射部が設けられていることを特徴とする。
【０００８】
このような構成である第１発明の開閉装置は、例えば、開閉部材の閉鎖時に紫外線光源が照射した紫外線を反射する反射部が設けられている場合、下記のように作用する。
【０００９】
すなわち、この開閉装置は、開閉部材の開放時、紫外線光源が照射した紫外線を直接に第１の範囲に当てることができる。他方、この開閉装置は、開閉部材の閉鎖時、紫外線光源が照射した紫外線を反射部により反射させて照射方向を変え、第２の範囲に当てることができる。そして、第１、２の範囲では、紫外線が当たれば、殺菌作用が生じることとなる。
【００１０】
また、この開閉装置は、開閉部材の開放時に紫外線光源が照射した紫外線を反射する反射部が設けられている場合も、同様に作用する。
【００１１】
したがって、第１発明の開閉装置は、開閉部材の閉鎖時及び開放時の両方において、紫外線の照射による殺菌作用を利用可能である。
【００１２】
紫外線光源としては、紫外線ランプ、紫外線ＬＥＤその他の一般的な紫外線光源を採用することができる。また、紫外線（波長が約３００〜４００ｎｍ）を含む光線を照射する白熱電球、蛍光灯、水銀ランプ等の光源を採用することもできる。紫外線は、後述する光触媒を効果的に励起可能な３８０ｎｍの波長のものであることが好ましい。紫外線照射装置の小型化、省電力化、耐久性のためには紫外線ＬＥＤを採用することが好ましい。
【００１３】
第１発明の開閉装置において、前記反射部の表面には、前記紫外線を反射可能であるとともに光触媒を含む防汚層が形成され得る。
【００１４】
この場合、この開閉装置では、反射部の表面に形成された光触媒を含む防汚層にも紫外線が照射されることとなる。このため、この開閉装置は、反射部の表面に汚れが付着するおそれがある場合でも、光触媒を含む防汚層において光触媒の活性が上がり、汚れ成分を効果的に分解することができる。このため、この開閉装置では、反射部の表面に汚れが付着することを抑制することができ、その結果、紫外線の照射による殺菌作用を長期に亘って維持することができる。
【００１５】
第２発明の開閉装置は、基体と、該基体に揺動可能に軸支された開閉部材とを備え、該基体には紫外線を照射可能な紫外線光源が設けられ、該開閉部材には閉鎖時に該紫外線光源が照射した該紫外線を屈折させる屈折部が設けられていることを特徴とする。
【００１６】
このような構成である第２発明の開閉装置は、例えば、開閉部材の閉鎖時に紫外線光源が照射した紫外線を屈折させる屈折部が設けられている場合、下記のように作用する。
【００１７】
この開閉装置は、開閉部材の閉鎖時、紫外線光源が照射した紫外線を屈折部により屈折させて照射方向を変え、第２の範囲に当てることができる。そして、第２の範囲では、紫外線が当たれば、殺菌作用が生じることとなる。
【００１９】
したがって、第２発明の開閉装置も、開閉部材の閉鎖時及び開放時の両方において、紫外線の照射による殺菌作用を利用可能である。
【００２０】
第２発明の開閉装置において、前記屈折部の表面には、前記紫外線を透光可能であるとともに光触媒を含む防汚層が形成され得る。
【００２１】
この場合、この開閉装置では、屈折部の表面に形成された光触媒を含む防汚層にも紫外線が照射されることとなる。このため、この開閉装置は、屈折部の表面に汚れが付着するおそれがある場合でも、光触媒を含む防汚層において光触媒の活性が上がり、汚れ成分を効果的に分解することができる。このため、この開閉装置では、屈折部の表面に汚れが付着することを抑制することができ、その結果、紫外線の照射による殺菌作用を長期に亘って維持することができる。
【００２２】
第１発明の開閉装置において、前記基体は鉢面をもつ便器本体に設けられるヒンジ部であり、前記開閉部材は便座又は便蓋であり得る。
【００２３】
この場合、ヒンジ部に紫外線光源が設けられ、便座又は便蓋には反射部が設けられることとなる。このようなヒンジ部及び便座又は便蓋が設けられた便器では、例えば、便座又は便蓋の閉鎖時において、紫外線光源が照射した紫外線が反射部により反射され、便器本体、ヒンジ部の後方又は便座若しくは便蓋の裏面等に当たり得る。また、便座又は便蓋の開放時においては、紫外線光源が照射した紫外線が直接に便器本体の鉢面等に当たり得る。そして、便器本体、ヒンジ部の後方、便座又は便蓋の裏面、及び便器本体の鉢面等においては、紫外線が当たれば、殺菌作用が生じることとなる。このため、この開閉装置は、便器として、本発明の効果を確実に奏することができる。
【００２４】
さらに、この開閉装置において、前記鉢面、前記便座及び前記便蓋の少なくとも一つには、光触媒が設けられ得る。この場合、鉢面、便座及び便蓋の少なくとも一つに設けられた光触媒に紫外線が照射されることにより、光触媒の活性が上がり、鉢面、便座又は便蓋に付着した臭気成分や汚れ成分をより効果的に分解することができる。このため、この開閉装置は、便器として、本発明の効果を一層確実に奏することができる。
【００２５】
第１、２発明の開閉装置において、前記基体は出入口をもつフレームであり、前記開閉部材は該出入口を開閉するための蓋体であり得る。
【００２６】
この場合、フレームに紫外線光源が設けられ、蓋体には反射部又は屈折部が設けられることとなる。
【００２７】
このようなフレーム及び蓋体では、例えば、蓋体の閉鎖時において、紫外線光源が照射した紫外線が反射部により反射されたり、屈折部により屈折されたりし、蓋体の裏面等に当たり得る。また、蓋体の開放時においては、紫外線光源が照射した紫外線が直接に出入口をもつフレームの内壁面等に当たり得る。そして、蓋体の裏面及びフレームの内壁面等においては、紫外線が当たれば、殺菌作用が生じることとなる。
【００２８】
このため、この開閉装置も、フレーム及び蓋体をもつ部屋等として、本発明の効果を確実に奏することができる。
【００２９】
さらに、この開閉装置において、前記フレーム及び前記蓋体の少なくとも一つには、光触媒が設けられ得る。
【００３０】
この場合、フレーム及び蓋体の少なくとも一つに設けられた光触媒に紫外線が照射されることにより、光触媒の活性が上がり、フレーム又は蓋体に付着した臭気成分や汚れ成分をより効果的に分解することができる。このため、この開閉装置は、フレーム及び蓋体をもつ部屋等として、本発明の効果を一層確実に奏することができる。
【発明を実施するための最良の形態】
【００３１】
以下、本発明を具体化した実施例１〜３を図面を参照しつつ説明する。
【実施例１】
【００３２】
図１に示すように、実施例１の開閉装置は、洋風便器１０に適用されるものである。洋風便器１０は、鉢面１１ａをもつ洋風便器本体１１と、洋風便器本体１１の後部上方に設けられる便器洗浄タンク１２と、洋風便器本体１１の後部において、便器洗浄タンク１２の前方に設けられる開閉装置としての便座便蓋装置１とからなる。
【００３３】
便座便蓋装置１は、基体としてのヒンジ部２０と、ヒンジ部２０に揺動可能に軸支された開閉部材としての便座１３及び便蓋１４とを備えている。そして、ヒンジ部２０には、図２に示すように、内部空間２０ａが形成され、内部空間２０ａの上方には、紫外線を照射可能な紫外線光源としてのＵＶ−ＬＥＤ２１が設置されている。ＵＶ−ＬＥＤ２１は、洋風便器本体１１の鉢面１１ａに向けて紫外線を照射可能な姿勢で配置されている。
【００３４】
ヒンジ部２０の前面側には、ＵＶ−ＬＥＤ２１が鉢面１１ａに紫外線を照射可能とするために、紫外線を透光可能なアクリル樹脂等の樹脂材料からなる透光窓２２が設けられている。また、ヒンジ部２０の後面側にも、詳細は後述するが、紫外線を透光可能なアクリル樹脂等の樹脂材料からなる透光窓２３が設けられている。
【００３５】
図３及び図４に示すように、便座１３において、便座１３の閉鎖時にヒンジ部２０の前面側と対面する面には、紫外線を反射する反射部１３ａが設けられている。便座１３の開放時には、反射部１３ａは、図２に示すように、ＵＶ−ＬＥＤ２１の照射方向に対して上方に移動するようになっている。このため、ＵＶ−ＬＥＤ２１から照射された紫外線は、便座１３の開放時には、透光窓２２を透過して鉢面１１ａに照射されることとなっている。
【００３６】
他方、便座１３の閉鎖時には、反射部１３ａは、図３及び図４に示すように、ＵＶ−ＬＥＤ２１の照射方向をさえぎる場所に移動するようになっている。このため、ＵＶ−ＬＥＤ２１から照射された紫外線は、便座１３の閉鎖時には、透光窓２２を透過した後、反射部１３ａにより反射されて、鉢面１１ａとは反対側に向きを変え、透光窓２２と、ヒンジ部２０の後面側の透光窓２３とを透過して、ヒンジ部２０の後方、便器洗浄タンク１２の前面下側や洋風便器本体１１の後部上面等に照射されることとなっている。
【００３７】
反射部１３ａの表面には、紫外線を反射可能であるとともに光触媒を含む防汚層が形成されている。また、鉢面１１ａ、便座１３及び便蓋１４にも、光触媒が表面を覆うように設けられている。
【００３８】
このような構成である実施例１の便座便蓋装置１は、下記のように作用する。すなわち、この便座便蓋装置１は、便座１３の開放時、図２に示すように、ＵＶ−ＬＥＤ２１が照射した紫外線を直接に鉢面１１ａに当てることができている。他方、この便座便蓋装置１は、便座１３の閉鎖時、図３に示すように、ＵＶ−ＬＥＤ２１が照射した紫外線を反射部１３ａにより反射させて照射方向を変え、ヒンジ部２０の後方、便器洗浄タンク１２の前面下側や洋風便器本体１１の後部上面等に当てることができている。そして、鉢面１１ａ及びヒンジ部２０の後方においては、紫外線が当たることにより、殺菌作用が生じることとなっている。
【００３９】
したがって、実施例１の便座便蓋装置１は、便座１３の閉鎖時及び開放時の両方において、紫外線の照射による殺菌作用を利用することができている。
【００４０】
また、この便座便蓋装置１において、反射部１３ａの表面には、紫外線を反射可能であるとともに光触媒を含む防汚層が形成されている。このため、この便座便蓋装置１では、反射部１３ａの表面に形成された光触媒を含む防汚層にも紫外線が照射されることとなっている。このため、この便座便蓋装置１は、反射部１３ａの表面に汚れが付着するおそれがある場合でも、光触媒を含む防汚層において光触媒の活性が上がり、汚れ成分を効果的に分解することができる。このため、この便座便蓋装置１では、反射部１３ａの表面に汚れが付着することを抑制することができており、その結果、紫外線の照射による殺菌作用を長期に亘って維持することを実現できている。
【００４１】
さらに、この便座便蓋装置１において、鉢面１１ａ、便座１３及び便蓋１４にも光触媒が設けられていることから、それらに紫外線が照射されることにより、光触媒の活性が上がり、鉢面１１ａ、便座１３及び便蓋１４に付着した臭気成分や汚れ成分をより効果的に分解することができる。このため、この便座便蓋装置１は、洋風便器１０として、本発明の効果を一層確実に奏することができている。
【００４２】
なお、実施例１の便座便蓋装置１において、便座１３の代わりに便蓋１４に反射部１３ａを設けても、同様の作用効果を奏することができる。
【実施例２】
【００４３】
図５及び図６に示すように、実施例２の便座便蓋装置２は、実施例１の便座便蓋装置１の内部空間２０ａ、ＵＶ−ＬＥＤ２１、透光窓２２、２３及び反射部１３ａに代えて、内部空間２０１ａ、ＵＶ−ＬＥＤ２１１、透光窓２２１及び反射部１３１ａを採用している。他の構成は実施例１の便座便蓋装置１と同様であるので、説明は省く。
【００４４】
便座便蓋装置２では、図５に示すように、便座１３の開放時に、反射部１３１ａがＵＶ−ＬＥＤ２１１の上方に移動する。そして、ＵＶ−ＬＥＤ２１１から照射された紫外線の一部は、透光窓２２１を透過した後、反射部１３１ａに反射されて鉢面１１ａに照射される。また、ＵＶ−ＬＥＤ２１１から照射された紫外線の残りも鉢面１１ａに照射される。
【００４５】
他方、図６に示すように、便座１３の閉鎖時には、反射部１３１ａがＵＶ−ＬＥＤ２１１の照射方向を遮らない下方の場所に移動する。そして、ＵＶ−ＬＥＤ２１１から照射された紫外線は、透光窓２２１を透過した後、便座１３の上面に照射される。そして、鉢面１１ａ及び便座１３の上面においては、紫外線が当たることにより、殺菌作用が生じることとなっている。
【００４６】
したがって、実施例２の便座便蓋装置２も、実施例１の便座便蓋装置１と同様に、便座１３の閉鎖時及び開放時の両方において、紫外線の照射による殺菌作用を利用することができている。
【実施例３】
【００４７】
図７及び図８に示すように、実施例３の開閉装置は、ゴミ箱３０に適用されるものである。開閉装置としてのゴミ箱３０は、基体としての出入口をもつフレーム３１と、開閉部材として、フレーム３１に揺動可能に軸支された蓋体３２とによって構成されている。
【００４８】
フレーム３１は、底壁３４と四面の側壁３５からなり、上方に出入口が形成され、内部にゴミ等を収容する部屋３１ａが形成されている。また、フレーム３１は、側壁３５のうちの１面の上縁にヒンジ３３を有しており、ヒンジ３３によって、蓋体３２が揺動可能に軸支されている。このため、蓋体３２は、フレーム３１の出入口を開閉することが可能となっている。
【００４９】
フレーム３１は、ヒンジ３３の下方に紫外線を照射可能な紫外線光源としてのＵＶ−ＬＥＤ４１を有している。ＵＶ−ＬＥＤ４１は、図８に示すように、蓋体３２の開放時に、フレーム３１の部屋３１ａの内壁面３１ｂに向けて紫外線を照射可能な姿勢で配置されている。
【００５０】
他方、蓋体３２の裏面３２ｂのヒンジ側には、三角断面の屈折部３２ａが設けられている。屈折部３２ａは、プリズム（平行でない平面を二つ以上もつ透明体）の一種であり、図７に示すように、蓋体３２の閉鎖時に、ＵＶ−ＬＥＤ４１が照射した紫外線を屈折させて、蓋体３２の裏面３２ｂを照射することが可能とされている。
【００５１】
屈折部３２ａの表面には、紫外線を透光可能であるとともに光触媒を含む防汚層が形成されている。また、フレーム３１の内壁面３１ｂ及び蓋体３２の裏面３２ｂにも、光触媒が表面を覆うように設けられている。
【００５２】
このような構成である実施例３のゴミ箱３０は、下記のように作用する。すなわち、このゴミ箱３０は、蓋体３２の開放時、図８に示すように、ＵＶ−ＬＥＤ４１が照射した紫外線を直接にフレーム３１の内壁面３１ｂに当てることができている。他方、このゴミ箱３０は、蓋体３２の閉鎖時、図７に示すように、ＵＶ−ＬＥＤ４１が照射した紫外線を屈折部３２ａにより屈折させて照射方向を変え、蓋体３２の裏面３２ｂに当てることができている。そして、蓋体３２の裏面３２ｂ及びフレーム３１の内壁面３１ｂにおいては、紫外線が当たることにより、殺菌作用が生じることとなっている。
【００５３】
したがって、実施例３のゴミ箱３０は、蓋体３２の閉鎖時及び開放時の両方において、紫外線の照射による殺菌作用を利用することができている。
【００５４】
また、このゴミ箱３０において、屈折部３２ａの表面には、紫外線を透光可能であるとともに光触媒を含む防汚層が形成されている。このため、このゴミ箱３０では、屈折部３２ａの表面に形成された光触媒を含む防汚層にも紫外線が照射されることとなっている。このため、このゴミ箱３０は、屈折部３２ａの表面に汚れが付着するおそれがある場合でも、光触媒を含む防汚層において光触媒の活性が上がり、汚れ成分を効果的に分解することができる。このため、このゴミ箱３０では、屈折部３２ａの表面に汚れが付着することを抑制することができており、その結果、紫外線の照射による殺菌作用を長期に亘って維持することを実現できている。
【００５５】
さらに、このゴミ箱３０において、フレーム３１の内壁面３１ｂ及び蓋体３２の裏面３２ｂにも光触媒が設けられていることから、それらに紫外線が照射されることにより、光触媒の活性が上がり、フレーム３１の内壁面３１ｂ及び蓋体３２の裏面３２ｂに付着した臭気成分や汚れ成分をより効果的に分解することができる。このため、このゴミ箱３０も、本発明の効果を一層確実に奏することができている。
【００５６】
なお、実施例３のゴミ箱３０と同様の構成により、人が出入りできる部屋を構成することも可能である。
【００５７】
以上において、本発明を実施例１〜３に即して説明したが、本発明は上記実施例１〜３に制限されるものではなく、その趣旨を逸脱しない範囲で適宜変更して適用できることはいうまでもない。
【００５８】
例えば、実施例１、２において、ヒンジ部２０と便器洗浄タンク１２とは別体であるが、便器洗浄タンク１２の前面下方に、ヒンジ部２０が一体に形成されていてもよい。
【産業上の利用可能性】
【００５９】
本発明は便座便蓋装置、ゴミ箱、部屋その他の開閉装置に利用可能である。
【図面の簡単な説明】
【００６０】
【図１】実施例１の便座便蓋装置が適用される洋風便器の概略断面図である。
【図２】実施例１の便座便蓋装置に係り、便座の開放時の要部拡大断面図である。
【図３】実施例１の便座便蓋装置に係り、便座の閉鎖時の要部拡大断面図である。
【図４】実施例１の便座便蓋装置に係り、便座の閉鎖時における反射部の要部拡大断面図である。
【図５】実施例２の便座便蓋装置に係り、便座の開放時の要部拡大断面図である。
【図６】実施例２の便座便蓋装置に係り、便座の閉鎖時の要部拡大断面図である。
【図７】実施例３のゴミ箱に係り、蓋体の閉鎖時の要部拡大断面図である。
【図８】実施例３のゴミ箱に係り、蓋体の開放時の要部拡大断面図である。
【符号の説明】
【００６１】
１、２…便座便蓋装置
３０…ゴミ箱
２０、３１…基体（２０…ヒンジ部、３１…フレーム）
１３、３２…開閉部材（１３…便座、３２…蓋体）
２１、４１…紫外線光源（ＵＶ−ＬＥＤ）
１３ａ…反射部
３２ａ…屈折部
１１…洋風便器本体
１１ａ…鉢面
１４…便蓋
【図１】
0004580298.tif 000002
【図２】
0004580298.tif 000003
【図３】
0004580298.tif 000004
【図４】
0004580298.tif 000005
【図５】
0004580298.tif 000006
【図６】
0004580298.tif 000007
【図７】
0004580298.tif 000008
【図８】
0004580298.tif 000009